(57)【要約】【課題】店舗のどこにでもマッチするようにできる商品陳列用什器を提供する。【解決手段】商品を陳列展示するための什器１０であって、商品を陳列する陳列部２０と、陳列部２０を支持するベース部３０とを有しており、ベース部３０は、平面視で１つの円における半径方向Ｒに沿う長尺部材からなる側端部３１を一対有しており、陳列部２０は、ベース部３０の一対の側端部３１間と略同じ幅を有するように構成された。【選択図】図１
2017099456.tif 000002
【特許請求の範囲】
【請求項１】
商品を陳列展示するための什器であって、
商品を陳列する陳列部と、該陳列部を支持するベース部とを有しており、
前記ベース部は、平面視で１つの円における半径方向に沿う長尺部材からなる側端部を一対有しており、
前記陳列部は、前記ベース部の一対の前記側端部間と略同じ幅を有するように構成されたことを特徴とする商品陳列用什器。
【請求項２】
前記陳列部は、平面視で、前記ベース部の一対の前記側端部が半径方向に沿う円の同心円上の円弧に形成されていることを特徴とする請求項１に記載の商品陳列用什器。
【請求項３】
前記ベース部は、一対の前記側端部の内周側同士を繋ぐ内周側結合部と、一対の前記側端部の外周側同士を繋ぐ外周側結合部とを有しており、一対の前記側端部と前記内周側結合部と前記外周側結合部とで環状部を構成しており、該環状部に前記ベース部を移動自在にする移動部材が設けられていることを特徴とする請求項１又は２に記載の商品陳列用什器。
【請求項４】
前記ベース部の前記側端部には、隣り合うように配置された同じ前記商品陳列用什器同士の前記側端部同士を繋ぐ連結部が設けられており、
同じ前記商品陳列用什器を複数組み合わせることで、円形商品陳列用什器を形成可能となっていることを特徴とする請求項１乃至３の何れか１つに記載の商品陳列用什器。
【発明の詳細な説明】
【技術分野】
【０００１】
本発明は、商品陳列用什器に関するものである。
【背景技術】
【０００２】
従来、店舗においては、商品を陳列するための商品陳列用什器が用いられている（例えば、特許文献１参照）。
【先行技術文献】
【特許文献】
【０００３】
【特許文献１】特開２０００−１９７５４３号公報
【発明の概要】
【発明が解決しようとする課題】
【０００４】
ここで、従来、什器はその設置場所に応じたものを用意する必要があり、例えば店舗の壁際、店舗の隅、店舗の中央では、それぞれ形状の異なる別の物を用意して設置するようにしていた。
【０００５】
しかしながら、このような設置場所に応じた形状の什器では、店舗のレイアウトを変更する際などに、それまで使用していたものが設置場所が変わることで適応しなくなる場合があった。そのため、レイアウトの変更等により、什器を入れ替える必要が生じてコストが掛かることとなり、その結果、レイアウトの変更等による店舗の自由な設計が行えない、という問題が生じていた。
【０００６】
本発明は、このような事情に鑑みてなされたものであり、店舗のどこにでもマッチするようにできる商品陳列用什器を提供することを目的とする。
【課題を解決するための手段】
【０００７】
かかる課題を解決するために、本発明の請求項１に記載の発明は、商品を陳列展示するための什器であって、商品を陳列する陳列部と、該陳列部を支持するベース部とを有しており、前記ベース部は、平面視で１つの円における半径方向に沿う長尺部材からなる側端部を一対有しており、前記陳列部は、前記ベース部の一対の前記側端部間と略同じ幅を有するように構成された商品陳列用什器としたことを特徴とする。
【０００８】
また、本発明の請求項２に記載の発明は、請求項１に記載の商品陳列用什器において、前記陳列部は、平面視で、前記ベース部の一対の前記側端部が半径方向に沿う円の同心円上の円弧に形成されていることを特徴とする。
【０００９】
また、本発明の請求項３に記載の発明は、請求項１又は２に記載の商品陳列用什器において、前記ベース部は、一対の前記側端部の内周側同士を繋ぐ内周側結合部と、一対の前記側端部の外周側同士を繋ぐ外周側結合部とを有しており、一対の前記側端部と前記内周側結合部と前記外周側結合部とで環状部を構成しており、該環状部に前記ベース部を移動自在にする移動部材が設けられていることを特徴とする。
【００１０】
また、本発明の請求項４に記載の発明は、請求項１乃至３の何れか１つに記載の商品陳列用什器において、前記ベース部の前記側端部には、隣り合うように配置された同じ前記商品陳列用什器同士の前記側端部同士を繋ぐ連結部が設けられており、同じ前記商品陳列用什器を複数組み合わせることで、円形商品陳列用什器を形成可能となっていることを特徴とする。
【発明の効果】
【００１１】
本発明の請求項１に記載の発明によれば、商品陳列用什器における陳列部を支持するベース部が、平面視で１つの円における半径方向に沿う長尺部材からなる側端部を一対有しているため、単体でも設置でき、かつ、商品陳列用什器同士の側端部同士を合わせて当該商品陳列用什器を複数組み合わせることで、種々の略円弧形状にすることができ、店舗における什器の設置場所に応じて適切な形状に変更させることができる。
【００１２】
また、本発明の請求項２に記載の発明によれば、請求項１に記載の発明における効果に加え、陳列部が、円弧に形成されていることで、商品を陳列したときに略円弧状にできるため、風を受けてもまともに受けずにいなすことができ、什器が動いてしまったり倒れたりすることを防止することができる。また、陳列部が、平面視で、ベース部の一対の側端部が半径方向に沿う円の同心円上の円弧に形成されているため、当該商品陳列用什器を複数組み合わせたときに、陳列部を連続した円弧形状にすることができ、見栄えの良い一体感のある状態にすることができる。
【００１３】
また、本発明の請求項３に記載の発明によれば、請求項１又は２に記載の発明における効果に加え、ベース部が環状部に構成されているため、より強度の高い状態で陳列部を支持することができる。また、ベース部が移動部材を有していることで、簡単に移動させることができる。
【００１４】
また、本発明の請求項４に記載の発明によれば、請求項１乃至３の何れか１つに記載の発明における効果に加え、同じ商品陳列用什器を連結部で繋いで複数組み合わせることで、円形商品陳列用什器を形成可能であるため、店舗の壁際や隅に配置されていた什器を組み合わせて店舗の中央等に配置するのに適した什器を簡単に形成することができる。
【図面の簡単な説明】
【００１５】
【図１】本発明の実施の形態１に係る商品陳列用什器の斜視図である。
【図２】同実施の形態１に係る図１のＡ部拡大斜視図である。
【図３】同実施の形態１に係る商品陳列用什器の分解斜視図である。
【図４】同実施の形態１に係る商品陳列用什器の正面図である。
【図５】同実施の形態１に係る商品陳列用什器の側面図である。
【図６】同実施の形態１に係る商品陳列用什器の平面図である。
【図７】同実施の形態１に係る商品陳列用什器の陳列部の斜視図である。
【図８】同実施の形態１に係る商品陳列用什器の陳列部の正面図である。
【図９】同実施の形態１に係る商品陳列用什器の陳列部の平面図である。
【図１０】同実施の形態１に係る図９のＢ部拡大斜視図である。
【図１１】同実施の形態１に係る商品陳列用什器の陳列部のフレームの斜視図である。
【図１２】同実施の形態１に係る商品陳列用什器のベース部の斜視図である。
【図１３】同実施の形態１に係る商品陳列用什器のベース部の平面図である。
【図１４】同実施の形態１に係る商品陳列用什器のベース部の側面図である。
【図１５】同実施の形態１に係る商品陳列用什器を組み合わせて円形商品陳列用什器にした場合の斜視図である。
【図１６】同実施の形態１に係る商品陳列用什器を組み合わせて円形商品陳列用什器にした場合の正面図である。
【図１７】同実施の形態１に係る商品陳列用什器を組み合わせて円形商品陳列用什器にした場合の平面図である。
【図１８】本発明の実施の形態２に係る商品陳列用什器の分解斜視図である。
【図１９】同実施の形態２に係る商品陳列用什器の平面図である。
【図２０】同実施の形態２に係る商品陳列用什器を組み合わせて円形商品陳列用什器にした場合の平面図である。
【図２１】本発明の実施の形態３に係る商品陳列用什器の斜視図である。
【図２２】同実施の形態３に係る商品陳列用什器の分解斜視図である。
【発明を実施するための形態】
【００１６】
以下、本発明の実施の形態について、図面を参照して詳細に説明する。
［発明の実施の形態１］
図１〜図１７には、本発明の実施の形態１を示す。
【００１７】
本実施の形態の商品陳列用什器１０は、商品として、例えば園芸用の植物の種を入れた紙製の袋Ｈ（図４に図示）を陳列展示するための什器であり、図１に示すように、当該商品を陳列する陳列部２０と、この陳列部を支持するベース部３０とを有している。
【００１８】
このうち、ベース部３０は、ＳＰＨＣ等の金属板を角筒状に形成した金属材を溶接等により組み合わせて形成されている。また、ベース部３０は、図３，図６，図１２〜図１４に示すように、平面視で地点Ｘを中心とする１つの円における半径方向Ｒに沿う直線状の長尺部材からなる側端部３１を一対有している。この側端部３１は、地点Ｘから半径方向Ｒにおける異なる方向に同じ距離だけ離れた位置から同じ長さを有する部材であり、この２つの側端部３１が平面視略ハ字状に配置されている。また、本実施の形態では、図６に示すような、２つの側端部３１が中心である地点Ｘで交わったときの角度Ｐは６０°となっている。
【００１９】
また、ベース部３０は、一対の側端部３１の内周側（地点Ｘに近い方）同士を繋ぐ平面視直線状の内周側結合部３３と、一対の側端部３１の外周側（地点Ｘから遠い方）同士を繋ぐ平面視湾曲形状の外周側結合部３４とを有している。そして、一対の側端部３１と内周側結合部３３と外周側結合部３４とが溶接等で一体に形成され、環状部３５を構成している。このうち、外周側結合部３４の湾曲形状は、地点Ｘを円の中心とする円弧形状に形成されている。
【００２０】
このように、外周側結合部３４が、地点Ｘを円の中心とする円弧形状に形成されていることで、後述する陳列部２０と同心円の円弧形状にすることができる。これにより、商品陳列用什器１０全体として統一感のある見栄えの良い形状にすることができる。また、外周側結合部３４が湾曲形状に前方に膨らんだ形状となっていることで、外周側結合部３４が内周側結合部３３と同様の平面視直線状である場合に比べて、ベース部３０の前後方向の幅（内周側結合部３３と外周側結合部３４との間の距離）を広くすることができる。これにより、ベース部３０の安定感を向上させて、ベース部３０による陳列部２０の支持強度を上げることができるようになっている。
【００２１】
また、図１，図３〜図５に示すように、環状部３５の下面には、ベース部３０を移動自在にする移動部材としてのキャスタ３６が複数固定されている。本実施の形態では、内周側結合部３３の双方の端部付近の下面に２つ、外周側結合部３４の中央部付近の下面に１つ、２つの側端部３１の外周側結合部３４との接合部付近の内側に配設された直方体形状のキャスタ取付部３８の下面に１つずつの合計５つのキャスタ３６が設けられている。このように、キャスタ３６をベース部３０の広い範囲に配設していることで、キャスタ３６によってベース部３０を安定的に支持することができる。その結果、ベース部３０による陳列部２０の支持強度を上げることができるものである。
【００２２】
また、一対の側端部３１の上面中央部にはそれぞれ、立上げ部３７が形成されている。この立上げ部３７は、陳列部２０を取り付け固定するためのものであり、平面視略コ字状の部材が上方に所定量延出するように形成されている。
【００２３】
また、側端部３１の外側の所定位置には、同じ商品陳列用什器１０が隣り合うように配置されたときに、商品陳列用什器１０同士の右の側端部３１と左の側端部３２を繋ぐ連結部（図示省略）が設けられている。この連結部としては、ねじとナットで側端部３１同士が固定されるものでも良いし、他の連結機構を用いたものであっても良い。
【００２４】
また、陳列部２０は、図３，図７〜図１１に示すように、ＳＰＨＣ等の金属板を角筒状に形成した金属材を溶接等により組み合わせて平面視略円弧形状、正面視枠形状に形成されたフレーム２１（図１１参照）に、同じＳＰＨＣ等の細長い線状部材を折り曲げ接合させて形成した陳列棚２２を固定したものである。この陳列棚２２は、上下方向に複数の陳列段部２２ａを備えており、また、ベース部３０の一対の側端部３１の間の長さと略同じ幅を有するように構成されている。
【００２５】
フレーム２１について詳述すると、フレーム２１は、図１１に示すように、角筒状に形成して直線状にした縦材２１ｃを左右に２本並べて配置し、その上端から所定長さ下方位置と下端から所定長さ上方位置に、角筒状の部材を湾曲させて平面視でベース部３０の一対の側端部３１が半径方向Ｒに沿う地点Ｘを中心とする円の同心円上の１つの円弧に沿って形成された横材２１ｄを固定したものである。このフレーム２１の２つの下端部２１ｂは、ベース部３０の２つの立上げ部３７の内側にそれぞれ嵌合するようになっており、この下端部２１ｂを立上げ部３７に嵌合された状態でネジ（図示省略）等で着脱自在に固定することで、陳列部２０がベース部３０に取り付け固定されるようになっている。
【００２６】
また、図１，図３に示すように、陳列部２０のフレーム２１の上部には、所定のプラスチックからなる湾曲した板状の第１板状部材２３を有している。この第１板状部材２３には、商品の広告等を記載したり貼り付けたりするようになっており、前面に略同形状の透明板２５を配置した状態で、図１，図３，図１１に示すようなフレーム２１の上部に突出して内側に溝が設けられた溝状部２１ａに差し込まれて配設されるようになっている。
【００２７】
また、陳列棚２２は、その内側が、フレーム２１と同じ円弧に沿って形成されており、各陳列段部２２ａの外側が、地点Ｘを中心とする円の同心円上のフレーム２１の円弧より半径の大きな１つの円弧に沿って形成されている。そして、この大小の円弧の間に略四角形状の商品収容部２２ｃが複数並んでいる。
【００２８】
また、図１，図３に示すように、各陳列段部２２ａには、所定のプラスチックからなる湾曲した板状の第２板状部材２４を有している。この第２板状部材２４には、商品の説明や価格等を記載したり貼り付けたりするようになっており、図２に示すように、陳列段部２２ａの左右の端部において内側に設けられた溝部２２ｂに差し込まれて配設されるようになっている。
【００２９】
また、図４に示すように、上下方向の各陳列段部２２ａ同士の幅（高さ）は、陳列棚２２に陳列する商品である園芸用の植物の種を入れた紙製の袋Ｈの高さより少々高い程度にしてある。これは、店舗の屋外に当該商品陳列用什器１０を配置する場合を考慮して、屋外の風によって商品が飛ばされないようにするためである。また、同時に棚数を増やして、より多くの商品を陳列することも可能となるものである。
【００３０】
そして、このような構成の商品陳列用什器１０を店舗に配置するには、次のように配置する場合が挙げられる。
【００３１】
例えば、店舗の壁際等に当該商品陳列用什器１０を配置するときには、図１に示すような商品陳列用什器１０が単体の状態で、壁とベース部３０の内周側結合部３３とが対峙するように１つずつ並べておく場合や、商品陳列用什器１０を３つ繋いだ状態のもの（図１５〜図１７に示す円形商品陳列用什器１のうちの商品陳列用什器１０が３つの状態）を、内周側結合部３３側が壁側を向くように配置する場合が挙げられる。このようにすることで、壁際に配置するときに、スペースを取らずに配置することができる。
【００３２】
また、店舗の中央等の壁のない場所に商品陳列用什器１０を配置するときには、図１５〜図１７に示すように、同じ商品陳列用什器１０を隣り合わせて連結部で繋ぎ、６つ組み合わせて円形商品陳列用什器１を形成することで、背面側が表面に現れない状態にすることができ、スペースを有効に利用した状態で配置することができる。
【００３３】
また、店舗の隅部等に当該商品陳列用什器１０を配置するときには、その隅部のスペースや角度に応じて、図１に示すような単体の状態で隅部に内周側結合部３３が対峙するように配置する場合や、商品陳列用什器１０を２つ繋いだ状態のもの（図１５〜図１７に示す円形商品陳列用什器１のうちの商品陳列用什器１０が２つの状態）を、内周側結合部３３側が隅部を向くように配置する場合が挙げられる。このようにすることで、隅部に配置するときでも、スペースを有効に利用した状態で配置することができる。
【００３４】
また、店舗の角部（隅部とは逆に角が出ている箇所）等に当該商品陳列用什器１０を配置するときには、その角部のスペースや角度に応じて、商品陳列用什器１０を４つ繋いだ状態のもの（図１５〜図１７に示す円形商品陳列用什器１のうちの商品陳列用什器１０が４つの状態）や、商品陳列用什器１０を５つ繋いだ状態のもの（図１５〜図１７に示す円形商品陳列用什器１のうちの商品陳列用什器１０が５つの状態）を、内周側結合部３３側が角部を向くように配置する場合が挙げられる。このようにすることで、角部に配置するときでも、角部を覆うようにして、スペースを有効に利用した状態で配置することができる。
【００３５】
また、ここに記載した配置の仕方は、商品陳列用什器１０を店舗外の屋外に配置するときにも適用できる。ここで、本実施の形態の陳列部２０は、円弧に形成されているため、商品を陳列したときに陳列部２０全体を略円弧状にできる。そのため、商品陳列用什器１０を組み合わせてどのような形状にしたときでも、風を受けてもまともに受けずにいなす形状とすることができ、什器１０が動いてしまったり倒れたりすることを防止することができる。
［発明の実施の形態２］
図１８〜図２０には、本発明の実施の形態２を示す。なお、前記した実施の形態１と同様の構成については説明を省略する。
【００３６】
本実施の形態では、図１８，図１９に示すように、商品陳列用什器１１０におけるベース部１３０が、平面視で地点Ｘを中心とする１つの円における半径方向Ｒに沿う直線状の長尺部材からなる側端部１３１を一対有しており、この側端部１３１が、地点Ｘから半径方向Ｒにおける異なる方向に同じ距離だけ離れた位置から同じ長さを有する部材であり、２つの側端部１３１が中心である地点Ｘで交わったときの角度Ｑが９０°となっている。
【００３７】
このように構成されていることで、商品陳列用什器１１０を店舗に配置するには、次のように配置する場合が挙げられる。
【００３８】
例えば、店舗の隅部等に当該商品陳列用什器１１０を配置するときには、図１８，図１９に示すような商品陳列用什器１１０が単体の状態で隅部に内周側連結部１３３が対峙するように配置することで、スペースを有効に利用した状態で配置することができる。
【００３９】
また、店舗の中央等の壁のない場所に商品陳列用什器１１０を配置するときには、図２０に示すように、同じ商品陳列用什器１１０を隣り合わせて連結部で繋ぎ、４つ組み合わせて円形商品陳列用什器２を形成することで、背面側が表面に現れない状態にすることができ、スペースを有効に利用した状態で配置することができる。
【００４０】
また、店舗の壁際等に当該商品陳列用什器１１０を配置するときには、その壁際のスペースに応じて、図１８，図１９に示すような単体の状態で壁に内周側結合部１３３が対峙するように配置する場合や、商品陳列用什器１１０を２つ繋いだ状態のもの（図２０に示す円形商品陳列用什器２のうちの商品陳列用什器１１０が２つの状態）を、内周側結合部１３３側が壁側を向くように配置する場合が挙げられる。このようにすることで、壁際に配置するときに、スペースを取らずに配置することができる。
【００４１】
また、店舗の角部（隅部とは逆に角が出ている箇所）等に当該商品陳列用什器１１０を配置するときには、商品陳列用什器１１０を３つ繋いだ状態のもの（図２０に示す円形商品陳列用什器２のうちの商品陳列用什器１０が３つの状態）を、内周側結合部１３３側が角部を向くように配置する場合が挙げられる。このようにすることで、角部に配置するときでも、角部を覆うようにして、スペースを有効に利用した状態で配置することができる。
【００４２】
また、ここに記載した配置の仕方は、商品陳列用什器１１０を店舗外の屋外に配置するときにも適用できる。ここで、本実施の形態の陳列部１２０は、円弧に形成されているため、商品を陳列したときに陳列部１２０全体を略円弧状にできる。そのため、商品陳列用什器１１０を組み合わせてどのような形状にしたときでも、風を受けてもまともに受けずにいなす形状とすることができ、什器１１０が動いてしまったり倒れたりすることを防止することができる。
［発明の実施の形態３］
図２１〜図２２には、本発明の実施の形態３を示す。なお、前記した実施の形態２と同様の構成については説明を省略する。
【００４３】
本実施の形態の商品陳列用什器２１０では、図２１，図２２に示すように、ベース部２３０の構成が、実施の形態２のベース部１３０に第２陳列部２２０が形成されたものとなっている。この第２陳列部２２０は、陳列部１２０の下方で陳列部１２０と重ならない位置に設けられている。
【００４４】
このようにベース部２３０に第２陳列部２２０が設けられていることで、ベース部２３０の強度が増すと共に、陳列数を増やすことができるものである。
【００４５】
以上のように、前記した各実施の形態では、商品陳列用什器１０における陳列部２０を支持するベース部３０が、平面視で１つの円における半径方向Ｒに沿う長尺部材からなる側端部３１を一対有しているため、単体でも設置でき、かつ、商品陳列用什器１０同士の側端部３１同士を合わせて当該商品陳列用什器１０を複数組み合わせることで、種々の略円弧形状にすることができ、店舗における什器１０の設置場所に応じて適切な形状に変更させることができる。
【００４６】
また、前記した各実施の形態では、前記した効果に加え、陳列部２０が、円弧に形成されていることで、商品を陳列したときに略円弧状にできるため、風を受けてもまともに受けずにいなすことができ、什器１０が動いてしまったり倒れたりすることを防止することができる。また、陳列部２０が、平面視で、ベース部３０の一対の側端部３１が半径方向Ｒに沿う円の同心円上の円弧に形成されているため、当該商品陳列用什器１０を複数組み合わせたときに、陳列部２０を連続した円弧形状にすることができ、見栄えの良い一体感のある状態にすることができる。
【００４７】
また、前記した各実施の形態では、前記した効果に加え、ベース部３０が環状部３５に構成されているため、より強度の高い状態で陳列部２０を支持することができる。また、ベース部３０がキャスタ３６を有していることで、簡単に移動させることができる。
【００４８】
また、前記した各実施の形態では、前記した効果に加え、同じ商品陳列用什器１０を連結部で繋いで複数組み合わせることで、円形商品陳列用什器１を形成可能であるため、店舗の壁際や隅部に配置されていた什器１０を組み合わせて店舗の中央等に配置するのに適した什器１０を簡単に形成することができる。
【００４９】
なお、以上説明した実施の形態は、本発明の理解を容易にするために記載されたものであって、本発明を限定するために記載されたものではない。
【００５０】
例えば、前記した各実施の形態では、商品として、園芸用の植物の種を入れた紙製の袋を例にして説明したが、これに限るものではなく、他の商品を陳列する什器に本発明を適用しても良い。さらに、複数種類の商品を陳列する什器や、不特定の種類の商品を陳列可能に形成された什器に、本発明を適用しても良い。
【００５１】
また、前記した各実施の形態では、ベース部３０の側端部３１同士の平面視の角度は、６０°又は９０°に構成されていたが、これに限るものではなく、他の角度であっても良い。このとき、４５°や１２０°のような、複数組み合わせたときに円形になる角度のものが好ましい。また、前記した各実施の形態では、同じ角度の商品陳列用什器を複数組み合わせることが記載されていたが、これに限るものではなく、異なる角度のものを組み合わせて配置するようになっていても良い。例えば、６０°のものと９０°のものを１つずつ組み合わせて１５０°の状態を構成したり、３０°のものを２つと４５°のものを１つ組み合わせて１０５°の状態を構成したりしても良い。
【００５２】
また、前記した各実施の形態では、陳列部２０が、平面視でベース部３０の２つの側端部３１の長手方向が重なる位置Ｘを中心とする円と同心円上の円弧形状に形成されていたが、これに限るものではない。例えば、陳列部が、平面視で直線状、つまり正面視で平面状に形成されていても良い。このとき、什器を複数組み合わせて円形商品陳列用什器を形成すると、ベース部の側端部同士の平面視の角度が６０°のものでは陳列部が平面視で正六角形になり、ベース部の側端部同士の平面視の角度が９０°のものでは陳列部が平面視で正方形になり、ベース部の側端部同士の平面視の角度が４５°のものでは陳列部が平面視で正八角形になり、ベース部の側端部同士の平面視の角度が１２０°のものでは陳列部が平面視で正三角形になる。
【００５３】
このように陳列部が円形以外の形状に形成されると、什器を店舗の中央においたとき等、什器を組み合わせて配置するときのバリエーションを持たせることができる。
【００５４】
また、前記した各実施の形態では、什器１０の材質は主にＳＰＨＣで構成された角筒状の部材で形成されていたが、これに限るものではなく、適宜の材質で形成されていれば良い。例えば、材質はＳＰＨＣ以外の金属材等でも良く、角筒状でない丸筒状の部材や中実の棒状部材等で構成されていても良い。また、強度があれば、金属以外の材質で構成されていても良い。また、第１板状部材２３や第２板状部材２４等はプラスチックからなっていたが、これに限るものではなく、適宜の材質からなっていれば良い。
【００５５】
また、前記した各実施の形態では、移動部材としてキャスタ３６が５つ配設されていたが、これに限るものではなく、キャスタは適宜の箇所に適宜の個数取り付けられていれば良い。また、移動部材としては、キャスタ以外のものを用いるようになっていても良い。
【００５６】
また、前記した各実施の形態では、ベース部３０が環状部３５を構成していたが、これに限るものではなく、ベース部の両サイドの側端部が１つの円における半径方向に沿う長尺部材からなっていれば、他の部材は環状を構成するようになっていなくても良い。
【符号の説明】
【００５７】
１，２  円形商品陳列用什器
１０，１１０，２１０  商品陳列用什器
２０  陳列部
３０  ベース部
３１  側端部
３３  内周側結合部
３４  外周側結合部
３５  環状部
３６  キャスタ（移動部材）
Ｈ  園芸用の植物の種を入れた紙製の袋（商品）
Ｒ  半径方向
Ｘ  地点（円の中心）
【図１】
2017099456.tif 000003
【図２】
2017099456.tif 000004
【図３】
2017099456.tif 000005
【図４】
2017099456.tif 000006
【図５】
2017099456.tif 000007
【図６】
2017099456.tif 000008
【図７】
2017099456.tif 000009
【図８】
2017099456.tif 000010
【図９】
2017099456.tif 000011
【図１０】
2017099456.tif 000012
【図１１】
2017099456.tif 000013
【図１２】
2017099456.tif 000014
【図１３】
2017099456.tif 000015
【図１４】
2017099456.tif 000016
【図１５】
2017099456.tif 000017
【図１６】
2017099456.tif 000018
【図１７】
2017099456.tif 000019
【図１８】
2017099456.tif 000020
【図１９】
2017099456.tif 000021
【図２０】
2017099456.tif 000022
【図２１】
2017099456.tif 000023
【図２２】
2017099456.tif 000024